(57)【特許請求の範囲】
【請求項１】
注出筒部(１３)を備えた容器体(１)へ嵌合される容器キャップにおいて、
前記注出筒部(１３)は、容器体へ嵌合させた中栓(１０)上部のノズル筒部からなり、
キャップ本体(２０)を容器体(１)から離脱させる際に、容器体注出筒部(１３)に付着した容器体内容物がキャップ本体内面へ向けて飛散するのを防止する飛散防止筒(２５)を、キャップ本体頂壁(２１)から前記注出筒部(１３)を囲むように垂下させ、
前記飛散防止筒(２５)内面に、該内面に付着した内容物が垂れ落ちるのを防止する突部(２６)を設け、
前記キャップ本体頂壁(２１)から垂下して前記注出筒部(１３)内面へ嵌合可能なシール筒(２２)を備えていることを特徴とする容器キャップ。
【請求項２】
前記飛散防止筒(２５)の下端は、前記シール筒(２２)下端よりも下方に位置することを特徴とする請求項１に記載の容器キャップ。
【請求項３】
前記キャップ本体(２０)は透明または半透明の材質からなることを特徴とする請求項１又は２記載の容器キャップ。
【発明の詳細な説明】
【技術分野】
【０００１】
本発明は容器に嵌合される容器キャップに関する。
【背景技術】
【０００２】
容器体胴部の縮径された上端部へ中栓を嵌合させて、中栓上端部を注出口に形成し、さらに容器体胴部の上部外面に形成された嵌合凹部へキャップ本体周壁下端部の嵌合突部を嵌合させると共に、キャップ本体頂壁から垂下するシール筒を中栓の注出口内面へ嵌合させ、不使用時には、キャップ本体の押し込みにより、シール筒を中栓へ嵌合させると共に、キャップ本体の弾性変形により嵌合突部を胴部の嵌合凹部へ嵌合させ、他方、使用時には、キャップ本体持上げによりキャップ本体を弾性変形させて嵌合突部を嵌合凹部から離脱させる容器キャップが知られている(特許文献１参照)。
【特許文献１】特開２００６−２６４７１１号公報
【発明の開示】
【発明が解決しようとする課題】
【０００３】
しかしながら特許文献１記載の発明では、キャップ本体を容器体から離脱させる際、キャップ本体周壁下端部が容器体胴部の嵌合凹部から外れるときに、キャップ本体が振動してシール筒が振動し、これにより前回使用時に中栓注出口に付着した容器体内容物が、シール筒の振動により注出口外方へ跳ね上げられ、これがキャップ本体の頂壁と周壁に付着してキャップ本体内面を汚すと共に、頂壁に付着した内容物が頂壁から滴下したり、あるいは周壁に付着した内容物が周壁沿いに流下してキャップ本体下端から垂れ落ちることがあり、特にキャップ本体が透明または半透明の場合には、キャップ本体内面の汚れが外部から見えるため好ましくなかった。
【０００４】
本発明の目的は、キャップ本体離脱時における容器体内容物のキャップ本体内面への飛散を極力防止し得る容器キャップを提供することにある。
【０００５】
本発明の他の目的は、キャップ本体からの容器体内容物の垂れ落ちを防止し得る容器キャップを提供することにある。
【課題を解決するための手段】
【０００６】
第１の手段として、注出筒部１３を備えた容器体１へ嵌合される容器キャップにおいて、
前記注出筒部１３は、容器体へ嵌合させた中栓１０上部のノズル筒部からなり、
キャップ本体２０を容器体１から離脱させる際に、容器体注出筒部１３に付着した容器体内容物がキャップ本体内面へ向けて飛散するのを防止する飛散防止筒２５を、キャップ本体頂壁２１から前記注出筒部１３を囲むように垂下させ、
前記飛散防止筒２５内面に、該内面に付着した内容物が垂れ落ちるのを防止する突部２６を設け、
前記キャップ本体頂壁２１から垂下して前記注出筒部１３内面へ嵌合可能なシール筒２２を備えていることを特徴とする。
【０００７】
第２の手段として、前記飛散防止筒２５の下端は、前記シール筒２２下端よりも下方に位置することを特徴とする。
【０００８】
第３の手段として、前記キャップ本体２０は透明または半透明の材質からなることを特徴とする。
【発明の効果】
【００１３】
本発明は、飛散防止筒をキャップ本体頂壁から注出筒部を囲むように垂下させたので、キャップ本体を容器体から外す際に、シール筒の振動に起因して注出筒部に付着した容器体内容物が飛散しても、これは飛散防止筒に当たるため、キャップ本体内面に付着することが極力防止され、したがって、キャップが透明または半透明であってもキャップ内面の汚れが外部に透けて見えることが殆どない。
【００１４】
また、本発明は、注出筒部から飛散した容器体内容物は飛散防止筒に付着して、キャップ本体周壁内面に付着することがなく、したがって、キャップ本体周壁下端から付着物が垂れ落ちることがない。
【００１５】
さらに、本発明は、飛散防止筒内面に突部を設けたので、飛散防止筒内面に付着した内容物が容器体に垂れ落ちるのを防止することができる。
【発明を実施するための最良の形態】
【００１６】
以下、図面を参照しながら本発明を説明する。
１は容器体で、胴部２上端から肩部３を介して口頸部４が立設され、口頸部４の下部外面には外向きフランジ５が形成されていると共に、外向きフランジ５よりも上方の口頸部４部分外面にはネジ６が形成されている。
【００１７】
１０は中栓で、ネジ６へ螺合された筒部１１上端から内向きフランジ状部１２を介して注出筒部としてのノズル筒部１３が立設されていて、ノズル筒部１３の上端部は外方へ弯曲状に折曲されてカール部１４に形成されている。
【００１８】
２０はキャップ本体で、頂壁２１の中央部からシール筒２２が垂下されており、シール筒２２下部はノズル筒部１３の上部内面へ水密に嵌合されている。頂壁２１の周縁から垂下する周壁２３の下端部内面には係合突条２４が周設されていて、係合突条２４は外向きフランジ５の外周部下面に係止されている。
【００１９】
キャップ本体頂壁２１からは、さらにシール筒２２外面を囲むように飛散防止筒２５が垂下されている。飛散防止筒２５は、キャップ本体２０を容器体１へ嵌合させた状態では、ノズル筒部１３の上部外面を間隔をおいて囲むように形成されている。
【００２０】
すなわち、飛散防止筒２５はキャップ本体２０を容器体１へ嵌合させた状態において、ノズル筒部１３に接触することがなく、また、飛散防止筒２５下端が内向きフランジ状部１２上面に接触することがないように形成されている。
【００２１】
ただし、飛散防止筒２５の下端は、シール筒２２がカール部１４から離脱する際に、カール部１４よりも下方に位置することが好ましいことから、シール筒２２下端よりも下方に位置させることが好ましい。このようにすることにより、より広範囲において飛散する容器体内容物を飛散防止筒２５に付着させることができ、飛散防止筒２５への容器体内容物の付着量を多くすることができる。
【００２２】
飛散防止筒２５の下端部内面には、図２に示すように、その内面に付着した容器体内容物が垂れ落ちるのを防止する突部２６を形成するのが好ましい。突部２６は飛散防止筒２５の周方向全周にわたって連続して形成するのが好ましいが、必ずしも連続することなく、周方向に間隔をおいて複数ないし多数形成してもよい。なお、突部２６は内容物が垂れ落ちるのを防止するためのものであるから、やや上方へ傾斜させるのが好ましい。
【００２３】
飛散防止筒２５として透明または半透明の合成樹脂材を使用することがあるが、半透明の合成樹脂材を使用する場合には、キャップ本体頂壁２１の肉厚を厚くする。寸法的には、後述するように、キャップ本体頂壁２１内面に飛散によって付着した容器体内容物が外部から見えない程度であれば十分である。その際、飛散防止筒２５の肉厚も厚くすれば、その内周面に付着した汚れを外部から見えないようにすることができる。
【００２４】
つぎに作用について説明する。
図３に示すように、容器体にキャップ本体が嵌合されて、シール筒２２がノズル筒１３内面へ嵌合された状態では、液体等容器体内容物の粘度にもよるが、前回注出時の内容物がノズル筒１３上端部のカール部１４内面に付着していることがある。
【００２５】
この状態からキャップ本体を持ち上げると、キャップ本体周壁下端部の係合突条２４が外向きフランジ５下面に係合しているため、外向きフランジ５が上方へやや弾性変形すると共に、キャップ本体周壁２３も外方へやや弾性変形して、外向きフランジ５から係合突条２４が上方へ離脱する。
【００２６】
すると、キャップ本体周壁２３に振動が生じ、この振動がシール筒２２に伝わるため、図３に示すように、カール部１４内面に付着した内容物は、シール筒２２によってキャップ本体内面へ向けて跳ね上げられる。
【００２７】
跳ね上げられた内容物は、飛散防止筒２５がなければ、図５に示すように、キャップ本体内面に付着するが、本発明では飛散防止筒２５が設けられているため、飛散防止筒２５内面と、シール筒２２と飛散防止筒２５との間のキャップ本体頂壁２１部分下面とに付着する。
【００２８】
飛散防止筒２５内面に付着した容器体内容物は流下して突部２６上に溜まるため、中栓１０上に垂れ落ちることがない。また、キャップ本体周壁内面には内容物が付着することがないため、キャップ本体周壁下端から付着物が垂れ落ちることがない。なお、キャップ本体が不透明の場合には、飛散防止筒２５の有無に関わらずキャップ本体内面の汚れは見えないが、キャップ本体周壁下端からの付着物の垂れ落ちは、飛散防止筒２５を設けなければ、防止することができない。
【００２９】
このように、容器体内容物は、キャップ本体周壁２３内面へ飛散することはないが、飛散防止筒２５内周面と、シール筒２２と飛散防止筒２５との間のキャップ本体頂壁２１部分下面との両部分に容器体内容物が飛散することは避けられない。キャップ本体が透明である場合には、飛散した内容物が外部から見えるが、この汚れは狭い範囲であるから許容範囲である。
【００３０】
一方、キャップ本体が半透明である場合には、キャップ本体頂壁２１を厚肉にすることにより、外部から汚れが見えないようにすることができる。したがって、厚肉にした場合の厚さは、外部から内容物が見えない程度であればよい。
【図面の簡単な説明】
【００３１】
【図１】本発明に係る容器キャップの縦断面図である。
【図２】第２の実施形態を示す縦断面図である。
【図３】容器体内容物の注出後の状態を示す図２相当図である。
【図４】作用説明図である。
【図５】従来の容器キャップ本体の作用説明図である。
【符号の説明】
【００３２】
１  容器体
１３  注出筒部
１４  カール部
２０  キャップ本体
２１  キャップ本体頂壁
２５  飛散防止筒
２６  突部
【図１】
0005067794.tif 000002
【図２】
0005067794.tif 000003
【図３】
0005067794.tif 000004
【図４】
0005067794.tif 000005
【図５】
0005067794.tif 000006